(57)【特許請求の範囲】
【請求項１】
穀類中に混在している屑粒を排出する回転選別網筒と、この回転選別網筒の内面に沿わせて被選別穀類を揚上移動させる回転螺旋体とで選別部を成す穀類選別機において、選別部の外装体は上面が開口していてその開口端縁にヒンジ構造による基端側の連結または基端側の係止爪を外装体の上面開口の端縁に係止する構成により位置決めされた蓋体で開閉自在と成っており、回転螺旋体および回転選別網筒は上記蓋体を開いて外装体の上面開口から順次落とし込んだうえ蓋体を閉じることによりそれらを所定の軸心位置に軸支持装着ができ、かつ上記蓋体を開いて外装体の上面開口から回転選別筒および回転螺旋体の取り外しができるように構成されているとともに、蓋体の裏面側には、回転螺旋体の上部軸に対する軸受孔が開口方向に開いた形状の軸受を備えていて、蓋体を閉じる過程で上記軸受の基部が回転螺旋体の上部軸の回転軸心を所定の軸心位置に案内する機能を備えていることを特徴とする穀類選別機。
【発明の詳細な説明】
【０００１】
【発明の属する技術分野】
本発明は、穀類中に混在している屑粒を選別除去し、選別された穀類を袋詰めする穀類選別機に関する。
【０００２】
【従来の技術】
回転選別網筒の内部に回転螺旋体を設けて、被選別穀類を回転螺旋体で揚上移動させながら回転選別網筒により屑粒を選別排出する穀類選別機は、例えば、特開平９−４３０３５号公報に記載されている。また、この種の穀類選別機において選別部の外装体の上面を開口してその上面開口を閉じる蓋体をネジ止め構造により着脱自在とし、蓋体に回転螺旋体の軸受を備えたものは、特公昭６１−１６５１８号公報に記載されている。
【０００３】
【発明が解決しようとする課題】
ところで、上記特公昭６１−１６５１８号公報に記載されている穀類選別機の選別部は、回転選別網筒と回転螺旋体とで構成されるが、選別部の組立にあたっては、外装体の少なくとも上面開口の蓋体を外し、先ず回転螺旋体を取り込んでその下部軸孔を下部の駆動軸部に差し込み仮保持し、次いで回転螺旋体に回転選別網筒を被せるように挿入するとともに回転選別網筒の上部の軸受部材を回転螺旋体の上部軸に嵌合したうえ、さらに蓋体を上面開口を閉じる位置に置いてその軸受に回転螺旋体の上部軸を嵌合して、外装体に蓋体をネジ止めする煩雑な工程を要するものである。また、この種の穀類選別機においては、外装体に対して蓋体が別体であってその組立構造上から蓋体のネジ止め位置にある程度の遊びを必要としていて、蓋体をネジ止め固定する際に回転螺旋体の軸心位置を調整しなければならないので、その位置決め作業が甚だ煩雑でかなりの熟練度を要して作業が容易でないのが実情である。
【０００４】
そこで、本発明は、従来のこのような問題点に鑑み、選別部の組立と分解を容易かつ迅速にできるようにするとともに、かつ組立にあたっては単に蓋体を閉じるだけで回転螺旋体を所定の軸心位置に軸支持装着ができる穀類選別機を提供することを目的とするものである。
【０００５】
【課題を解決するための手段】
本発明は、上記目的を達成するため次のように構成した。すなわち、請求項１記載の穀類選別機は、穀類中に混在している屑粒を排出する回転選別網筒と、この回転選別網筒の内面に沿わせて被選別穀類を揚上移動させる回転螺旋体とで選別部を成す穀類選別機において、選別部の外装体は上面が開口していてその開口端縁にヒンジ構造による基端側の連結または基端側の係止爪を外装体の上面開口の端縁に係止する構成により位置決めされた蓋体で開閉自在と成っており、回転螺旋体および回転選別網筒は上記蓋体を開いて外装体の上面開口から順次落とし込んだうえ蓋体を閉じることによりそれらを所定の軸心位置に軸支持装着ができ、かつ上記蓋体を開いて外装体の上面開口から回転選別筒および回転螺旋体の取り外しができるように構成されているとともに、蓋体の裏面側には、回転螺旋体の上部軸に対する軸受孔が開口方向に開いた形状の軸受を備えていて、蓋体を閉じる過程で上記軸受の基部が回転螺旋体の上部軸の回転軸心を所定の軸心位置に案内する機能を備えていることを特徴とするものである。
【０００６】
【発明の実施の形態】
図面は本発明の実施の形態を示す。図１は本発明に係る穀類選別機を一部破断して示す全体側面図、図２は選別部の下部構造を示す縦断側面図、図３は図２に対応する部分の組立工程を示す縦断側面図、図４は選別部の上部構造を示す縦断側面図、図５は図４に対応する部分の蓋体の開閉構造を示す縦断側面図、図６は蓋体を外装体の上面開口端縁に係止して位置決めする構成を示す斜視図、図７は図６に対応する部分の異なる方向からみた斜視図、図８は本発明の他の実施の形態を示す一部の斜視図、図９は図８の破線円Ａで囲んだ部分の詳細斜視図、図１０は本発明のさらに他の実施の形態を示す一部の斜視図である。
【０００７】
図に例示する穀類選別機１は、穀類中に混在している屑粒を選別除去し、選別された穀類を所定重量ごとに袋詰めする計量機能を備えたものである。穀類選別機１は、その外装体２内に、回転選別網筒３とそれに内装された回転螺旋体４とで構成した選別部５を備えており、選別部５の回転螺旋体４は、減速機構を介して電動機６により回転駆動されるものである。回転選別網筒３は、さらに減速機構を介して電動機６によって回転螺旋体４より低速でかつ逆方向に回転駆動されるように成っており、選別部５における穀類の選別率は、回転選別網筒３および回転螺旋体４の回転数により制御される。７は被選別穀類の供給ホッパ、８は選別穀類の精粒を一時貯留するタンクであり、その選別穀類の送出口９には自動開閉シャッタ１０が備えられている。上記送出口９の下方には重量計１１を配置して、その上にセットした収納袋１２に送出口９から送出される選別穀類を予め設定してある重量が重量計１１で計量されるまで収納されると、自動開閉シャッタ１０が閉作動するようになっている。
【０００８】
図２および図３に詳細を示すように、選別部５の下部は供給ホッパ７が接続された被選別穀類の供給部１３を成しており、その底面には回転螺旋体４を軸結合される第１駆動軸１４が突出しており、この駆動軸１４は前記のように電動機６に減速機構を介して連動しているものである。また、１５は第２駆動軸であって第１駆動軸１４と同心状を成していて前記のように減速機構を介して第１駆動軸１４と逆回転するように連動しているものである。
【０００９】
１６は屑粒受室であって、回転選別網筒３には屑粒受室１６の底面を掃いて屑粒を掻き出す掻出羽根１７を備えている。１８は穀類導入筒体である。この穀類導入筒体１８は、その下端部に開口した被選別穀類の導入口１９に被選別穀類を誘導する螺旋翼を有している。そして、穀類導入筒体１８の下部軸受孔２０は第２駆動軸１５に嵌合されている。回転選別網筒３は、上記穀類導入筒体１８に嵌合結合して一体回転するように組み立てられるものである。また回転螺旋体４の下部軸受孔２１は第１駆動軸１４に嵌合して、それぞれを電動機６に連動する構成を成している。
【００１０】
本発明に係る穀類選別機１においては、その選別部５の外装体２の上面が開口していて蓋体２２を備えている。この蓋体２２は外装体２のタンク８側の上端縁にヒンジ構造２３によって開閉自在である（図８参照）。そして、この蓋体２２の裏面側には、図４および図５に詳細を示すように、回転螺旋体４の上部軸２４に対する軸受２５を備えており、この軸受２５はその軸受孔が開口方向に開いた形状を成していて、蓋体２２を閉じる過程で上記軸受２５の基部が回転螺旋体４の上部軸２４の回転軸心を所定の軸心位置に案内する機能を備えたものと成っている。また、回転選別網筒３の上端面には回転螺旋体４の上部軸２４に対する軸支持部材２６が一体状に取り付けられており、回転選別網筒３の上部は回転螺旋体４の上部軸２４に回転が自由な状態で軸支持される構成と成っている。
【００１１】
以上のように構成された本発明の実施の形態のものにおいては、選別部５の組立が次のように簡易かつ迅速にできる特徴を有している。すなわち、選別部５の組立にあたっては、外装体２の上面の蓋体２２を上方に開くだけでよく、蓋体２２を開いて外装体２の上面を開口し、外装体２の上面開口から先ず回転螺旋体４を落とし込むように取り込んで、その下部軸受孔２１を第１駆動軸１４に嵌合させて仮保持する。次いで、回転選別網筒３を回転螺旋体４に被せるように落とし込み、その下端部を穀類導入筒体１８の上端部に嵌合結合して仮保持する。
【００１２】
次いで、外装体２の上面の蓋体２２を閉じるが、蓋体２２はヒンジ構造２３により外装体の開口端縁に位置決めが成されているので、蓋体２２を閉じる過程で、図４に示すように蓋体２２に備えた軸受２５が回転螺旋体４の上部軸２４に嵌合するとともに回転螺旋体４の回転軸心を所定の軸心位置に案内する。このため、蓋体２２を閉じるだけで回転螺旋体４およびそれと同心状に軸支持されている回転選別網筒３の回転軸心を所定の軸心位置に確実に設定することができる。なお、保守点検等にあたって、回転選別網筒３および回転螺旋体４を取り外す場合にも、蓋体２２を開いて外装体２の上面を開口するだけで、外装体２の上面から回転選別網筒３および回転螺旋体４を上方に容易に抜き出すことができる。
【００１３】
本発明に係る穀類選別機１においては、図６および図７に詳細を示すように、蓋体２２の基端側に係止爪２７，２７を設けて、この係止爪２７，２７を外装体の上面開口のタンク８側の端縁２８に係止するとともに、蓋体２２の基端側を位置決めする構成とすることができる。そして、この構成とすることにより、蓋体２２の基端側を外装体２の上端開口の一端縁に対して正しく位置決めしたうえ、蓋体２２を閉じることができるので、蓋体２２をヒンジ構造２３により取り付けたものと同様に、蓋体２２を閉じるだけで回転螺旋体４およびそれと同心状に軸支持されている回転選別網筒３の回転軸心を所定の軸心位置に確実に設定することができる。
【００１４】
また、本発明に係る穀類選別機１においては、図８および図９に示すように、外装体２と蓋体２２との間に、蓋体２２を開き保持する支えアーム２９を備えた蓋体２２の開き保持機能を備えた構成とすることができる。そして、このように蓋体２２の開き保持機能を備えることにより、蓋体２２を開いて行う回転螺旋体４および回転選別網筒３の装着または取り外し作業の途中で蓋体２２が不用意に閉じるようなことがなく、その作業を支障なく安全にできる。
【００１５】
また、図１０に示すように、外装体２の背面蓋３０をネジ３１により着脱自在として、外装体２の上面を開閉する蓋体２２の開き側に設けた係止片３２を上記背面蓋３０の上端縁に係止して閉じ保持されるように構成することができる。そして、この構成とすることにより、蓋体２２が確実に閉じ保持されるので、蓋体２２が開閉自在であってそれに回転螺旋体４および回転選別網筒３の軸支持機能を負担させてあっても、蓋体２２が不用意に開くことがなく、安全かつ安定した動作を確保することができる。なお、背面蓋３０は簡単に着脱できるので、外装体２を開いて選別部５の動作状態を点検するなどの場合にも便利である。
【００１６】
【発明の効果】
本発明によれば、穀類中に混在している屑粒を排出する回転選別網筒と、この回転選別網筒の内面に沿わせて被選別穀類を揚上移動させる回転螺旋体とで選別部を成す穀類選別機において、選別部の外装体は上面が開口していてその開口端縁に係止または連結して位置決めされた蓋体で開閉自在と成っており、回転螺旋体および回転選別網筒は上記蓋体を開いて外装体の上面開口から順次落とし込んだうえ蓋体を閉じることによりそれらを所定の軸心位置に軸支持装着ができ、かつ上記蓋体を開いて外装体の上面開口から回転選別筒および回転螺旋体の取り外しができるように構成されているので、選別部の組立と分解を容易かつ迅速にできるとともに、組立時において蓋体を閉じるだけで回転螺旋体および回転選別網筒の軸心位置を正しく設定することができる穀類選別機が得られる。
【図面の簡単な説明】
【図１】  本発明に係る穀類選別機を一部破断して示す全体側面図である。
【図２】  選別部の下部構造を示す縦断側面図である。
【図３】  図２に対応する部分の組立工程を示す縦断側面図である。
【図４】  選別部の上部構造を示す縦断側面図である。
【図５】  図４に対応する部分の蓋開閉構造を示す縦断側面図である。
【図６】  蓋体を外装体の上面開口端縁に係止して位置決めする構成を示す斜視図である。
【図７】  図６に対応する部分の異なる方向からみた斜視図である。
【図８】本発明の他の実施の形態を示す一部の斜視図である。
【図９】図８の破線円Ａで囲んだ部分の詳細斜視図である。
【図１０】  本発明のさらに他の実施の形態を示す一部の斜視図である。
【符号の説明】
１  穀類選別機
２  外装体
３  回転選別網筒
４  回転螺旋体
５  選別部
６  電動機
７  供給ホッパ
８  タンク
９  送出口
１０  自動開閉シャッタ
１１  重量計
１２  収納袋
１３  供給部
１４  第１駆動軸
１５  第２駆動軸
１６  屑粒受室
１７  掻出羽根
１８  穀類導入筒体
１９  導入口
２０  下部軸受孔
２１  下部軸受孔
２２  蓋体
２３  ヒンジ構造
２４  上部軸
２５  軸受
２６  軸支持部材
２７  係止爪
２８  端縁
２９  支えアーム
３０  背面蓋
３１  ネジ
３２  係止片
【図１】
0004048345.tif 000002
【図２】
0004048345.tif 000003
【図３】
0004048345.tif 000004
【図４】
0004048345.tif 000005
【図５】
0004048345.tif 000006
【図６】
0004048345.tif 000007
【図７】
0004048345.tif 000008
【図８】
0004048345.tif 000009
【図９】
0004048345.tif 000010
【図１０】
0004048345.tif 000011